(57)【要約】【課題】本発明は地面に固定される自転車の鍵を開示した。【解決手段】台座と前記台座の上端面に固定された二つの半円ロッドとを含み、前記半円ロッドの中には弧状チャンバが設置され、前記弧状チャンバの片側端壁の中には弧状溝が設置され、前記半円ロッドの中には前記弧状チャンバと前記弧状溝を貫通しており、また外部空間に連通している貫通穴が設置され、前記弧状チャンバの中にはスライドできる円球と前記円球を復帰させることができる伸縮ばねとが設置され、前記弧状溝の中にはスライドできるボールが設置され、本発明が作動する過程において、装置は駐輪の後に自転車を自動的にロックし、手で鍵をかける必要がなく、人が鍵をかけるステップを省き、時間を節約し、またＱＲコード（登録商標）をスキャンすることによって自動的にロックを解除でき、人々の駐輪のこと又は自転車をロックすることに大きな便利を与える。【選択図】図１
2020183219.tif 000002
【特許請求の範囲】
【請求項１】
正面視で、台座と前記台座の上端面に固定された二つの半円ロッドとを含み、前記半円ロッドの中には弧状チャンバが設置され、前記弧状チャンバの片側端壁の中には弧状溝が設置され、前記半円ロッドの中には前記弧状チャンバと前記弧状溝を貫通しており、また外部空間に連通している貫通穴が設置され、前記弧状チャンバの中にはスライドできる円球と前記円球を復帰させることができる伸縮ばねとが設置され、前記弧状溝の中にはスライドできるボールが設置され、前記ボールの一端には一端が前記円球を貫通しており、且つ外部空間に位置しているロックロッドが設置され、前記ロックロッドが前記円球とスライドできるように連結され、前記円球の前端には前記円球を運動させることができるロープが設置され、前記ロープを引き動かして前記円球を運動させ、それによって前記円球と前記ボールとがそれぞれ前記弧状チャンバと前記弧状溝との中で上方へ運動し、二本の前記ロックロッドが上方へ運動している過程において、一端が分離した後に再び接触し、それによって自動的に車輪をきつくロックし、前記台座の中に車輪の自重で生じた動力によって前記ロープを引き動かすことができる縄巻き機構が設置され、前記縄巻き機構は回転チャンバと前記回転チャンバの左右端壁の中に位置している二つの従動チャンバとを含み、前記回転チャンバの中には左右両端がそれぞれ左右両側の前記従動チャンバの中に位置している回転軸が設置され、前記回転軸の左右両端にはいずれも前記ロープの下端と固定的に連結され、また前記ロープを引き動かすことができる縄巻き輪が固定され、前記回転チャンバの上端壁の中には昇降チャンバと前記回転チャンバと前記昇降チャンバとを連通させる貫通チャンバが設置され、前記回転軸の中間には回転ギヤが固定され、前記昇降チャンバの中には下端が前記回転ギヤと噛み合っており、また前記回転ギヤを回転連動させることができる昇降ロッドが設置され、前記昇降チャンバの中には前記昇降ロッドを昇降させ、また上端が外部空間の中に位置している台形ロッドが設置され、前記昇降チャンバの中にはまた前記台形ロッドの復帰を制限できるロック機構が設置され、前記ロック機構は二つの台形ブロックと前記台形ブロックを復帰させることができる復帰ばねとを含み、前記台形ブロックの中には昇降溝と前記昇降溝に連通している押し出し溝とが設置され、前記昇降溝の中には前記昇降ロッドが下降する時に摩擦力によって連動して一緒に下降することができる位置制限板が設置され、前記押し出し溝の中には押し出した後に前記台形ロッドの上昇を制限することができる押し出しロッドと前記押し出しロッドを復帰させることができる押し出しばねとが設置されたことを特徴とする地面に固定される自転車の鍵。
【請求項２】
前記縄巻き機構はまた前記台形ロッドの上端に固定された固定板を含み、前記固定板の下端には前記固定板を復帰させることができる二つの圧縮ばねが設置され、前記台形ロッドの中には前記押し出しロッドの一端を入らせて前記台形ロッドの上昇を制限することができる二つの収納溝が設置されたことを特徴とする請求項１に記載の地面に固定される自転車の鍵。
【請求項３】
前記ロック機構はまた前記昇降溝の下端壁の中の位置制限溝を含み、前記位置制限板の下端には下端が前記位置制限溝の中に位置している位置制限ロッドが設置され、前記昇降溝の中には前記位置制限板を復帰させることができる昇降ばねが設置され、前記貫通チャンバの後端壁には電磁石が設置され、前記台座の中には前記電磁石の磁性を制御し、また前記電磁石に電気エネルギーを提供する制御ブロックが設置され、前記昇降ロッドの中には後方に開口したＴ型溝が設置され、前記Ｔ型溝の中には後端が前記貫通チャンバの中に位置しているＴ型ロッドと前記Ｔ型ロッドと前記昇降ロッドとを連結する連結ばねとが設置され、前記貫通チャンバの左右端壁にはスライド溝が設置され、前記貫通チャンバの中には左右端がそれぞれ前記スライド溝の中でスライドでき、また前記Ｔ型ロッドの後端と連結されたスライドロッドが設置され、前記昇降チャンバの後端壁には前方に開口した押し出しチャンバが設置され、前記押し出しチャンバの中には前端が前記昇降ロッドと接触した従動ロッドと前記従動ロッドを復帰させることができる従動ばねとが設置され、前記従動ロッドの後端には下端が前記押し出しチャンバの下端壁を貫通しており、また前記押し出しロッドの一端と連結された二本の鎖が固定され、前記台座の上端面にはＱＲコード（登録商標）が設置されたことを特徴とする請求項１に記載の地面に固定される自転車の鍵。
【発明の詳細な説明】
【技術分野】
【０００１】
本発明はロック分野に関わり、具体的には地面に固定される自転車の鍵である。
【背景技術】
【０００２】
現段階には、人々は駐輪の後、時間をかけて手で自転車に鍵をかける必要があり、自転車に鍵をかけない時があり、自転車が盗まれやすく、それによって自転車の所有者が損失を受ける。
【先行技術文献】
【特許文献】
【０００３】
【特許文献１】中国特許出願公開第１０５６４８９４１号明細書
【発明の概要】
【発明が解決しようとする課題】
【０００４】
本発明は地面に固定される自転車の鍵を提供し、上記背景技術に提出された問題を解決することを目的とする。
【課題を解決するための手段】
【０００５】
上記の目的を実現するため、本発明は以下の技術プランを提供する：地面に固定される自転車の鍵であり、台座と前記台座の上端面に固定された二つの半円ロッドとを含み、前記半円ロッドの中には弧状チャンバが設置され、前記弧状チャンバの片側端壁の中には弧状溝が設置され、前記半円ロッドの中には前記弧状チャンバと前記弧状溝を貫通しており、また外部空間に連通している貫通穴が設置され、前記弧状チャンバの中にはスライドできる円球と前記円球を復帰させることができる伸縮ばねとが設置され、前記弧状溝の中にはスライドできるボールが設置され、前記ボールの一端には一端が前記円球を貫通しており、且つ外部空間に位置しているロックロッドが設置され、前記ロックロッドが前記円球とスライドできるように連結され、前記円球の前端には前記円球を運動させることができるロープが設置され、前記ロープを引き動かして前記円球を運動させ、それによって前記円球と前記ボールとがそれぞれ前記弧状チャンバと前記弧状溝との中で上方へ運動し、二本の前記ロックロッドが上方へ運動している過程において、一端が分離した後に再び接触し、それによって自動的に車輪をきつくロックし、前記台座の中に車輪の自重で生じた動力によって前記ロープを引き動かすことができる縄巻き機構が設置され、前記縄巻き機構は回転チャンバと前記回転チャンバの左右端壁の中に位置している二つの従動チャンバとを含み、前記回転チャンバの中には左右両端がそれぞれ左右両側の前記従動チャンバの中に位置している回転軸が設置され、前記回転軸の左右両端にはいずれも前記ロープの下端と固定的に連結され、また前記ロープを引き動かすことができる縄巻き輪が固定され、前記回転チャンバの上端壁の中には昇降チャンバと前記回転チャンバと前記昇降チャンバとを連通させる貫通チャンバが設置され、前記回転軸の中間には回転ギヤが固定され、前記昇降チャンバの中には下端が前記回転ギヤと噛み合っており、また前記回転ギヤを回転連動させることができる昇降ロッドが設置され、前記昇降チャンバの中には前記昇降ロッドを昇降させ、また上端が外部空間の中に位置している台形ロッドが設置され、前記昇降チャンバの中にはまた前記台形ロッドの復帰を制限できるロック機構が設置され、前記ロック機構は二つの台形ブロックと前記台形ブロックを復帰させることができる復帰ばねとを含み、前記台形ブロックの中には昇降溝と前記昇降溝に連通している押し出し溝とが設置され、前記昇降溝の中には前記昇降ロッドが下降する時に摩擦力によって連動して一緒に下降することができる位置制限板が設置され、前記押し出し溝の中には押し出した後に前記台形ロッドの上昇を制限することができる押し出しロッドと前記押し出しロッドを復帰させることができる押し出しばねとが設置され、前記台形ロッドが下降する時に前記縄巻き機構が作動して前記ロープを引き動かすと同時に前記ロック機構にロックされて上方へ運動して復帰することができなく、それによって速くて自動的に前記ロックロッドを通して車輪をロックすることができる。
【０００６】
好ましくは、前記縄巻き機構はまた前記台形ロッドの上端に固定された固定板を含み、前記固定板の下端には前記固定板を復帰させることができる二つの圧縮ばねが設置され、前記台形ロッドの中には前記押し出しロッドの一端を入らせて前記台形ロッドの上昇を制限することができる二つの収納溝が設置され、前記縄巻き機構の作用は車輪が前記固定板を押し動かすことによって動力を生じて前記縄巻き輪を回転させて前記ロープを引き動かすことである。
【０００７】
好ましくは、前記ロック機構はまた前記昇降溝の下端壁の中の位置制限溝を含み、前記位置制限板の下端には下端が前記位置制限溝の中に位置している位置制限ロッドが設置され、前記昇降溝の中には前記位置制限板を復帰させることができる昇降ばねが設置され、前記貫通チャンバの後端壁には電磁石が設置され、前記台座の中には前記電磁石の磁性を制御し、また前記電磁石に電気エネルギーを提供する制御ブロックが設置され、前記昇降ロッドの中には後方に開口したＴ型溝が設置され、前記Ｔ型溝の中には後端が前記貫通チャンバの中に位置しているＴ型ロッドと前記Ｔ型ロッドと前記昇降ロッドとを連結する連結ばねとが設置され、前記貫通チャンバの左右端壁にはスライド溝が設置され、前記貫通チャンバの中には左右端がそれぞれ前記スライド溝の中でスライドでき、また前記Ｔ型ロッドの後端と連結されたスライドロッドが設置され、前記昇降チャンバの後端壁には前方に開口した押し出しチャンバが設置され、前記押し出しチャンバの中には前端が前記昇降ロッドと接触した従動ロッドと前記従動ロッドを復帰させることができる従動ばねとが設置され、前記従動ロッドの後端には下端が前記押し出しチャンバの下端壁を貫通しており、また前記押し出しロッドの一端と連結された二本の鎖が固定され、前記台座の上端面にはＱＲコード（登録商標）が設置され、前記ロック機構の作用は前記台形ロッドをしっかりとロックし、車輪を持ち上げた後に前記固定板と前記台形ロッドとが復帰することを防止する。
【発明の効果】
【０００８】
以上により、本発明の有益な効果は：本装置は構成が簡単で、操作が便利であり、装置は駐輪の後に自転車を自動的にロックし、手で鍵をかける必要がなく、人が鍵をかけるステップを省き、時間を節約し、またＱＲコード（登録商標）をスキャンすることによって自動的にロックを解除でき、人々の駐輪のこと又は自転車をロックすることに大きな便利を与える。
【図面の簡単な説明】
【０００９】
本発明の実施例又は既存技術の技術プランを詳しく説明するため、下記には実施例又は既存技術の説明に所要の付図を簡単に紹介し、明らかに下記の説明の付図はただ本発明の実施例であり、本分野の普通の技術員にとって、創造的な労働をしない場合、下記の付図から他の付図をもらえることができ、下記に図１〜７をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１０】
【図１】図１は本発明の地面に固定される自転車の鍵の全体全断面の正面構造略図
【図２】図２は本発明の地面に固定される自転車の鍵の左側弧状チャンバの全断面の左側面拡大構造略図
【図３】図３は本発明の地面に固定される自転車の鍵の左側弧状溝の全断面の左側面拡大構造略図
【図４】図４は本発明の地面に固定される自転車の鍵の半円ロッドの全断面の正面拡大構造略図
【図５】図５は本発明の地面に固定される自転車の鍵装置の全断面の左側面拡大構造略図
【図６】図６は本発明の地面に固定される自転車の鍵の台形ブロックのところの構造の部分断面の正面拡大構造略図
【図７】図７は本発明の地面に固定される自転車の鍵の貫通チャンバのところの構造の部分断面の正面拡大構造略図
【発明を実施するための形態】
【００１１】
本説明書における公開したあらゆる特徴あるいは公開したあらゆる方法と過程でのステップは、お互いに反発する特徴とステープを除き、どの方式でも組み合わせる。
【００１２】
図１〜７を参考し、本発明の実施例は：地面に固定される自転車の鍵であり、地面に固定される自転車の鍵は台座１と前記台座１の上端面に固定された二つの半円ロッド１０とを含み、前記半円ロッド１０の中には弧状チャンバ１３が設置され、前記弧状チャンバ１３の片側端壁の中には弧状溝１１が設置され、前記半円ロッド１０の中には前記弧状チャンバ１３と前記弧状溝１１を貫通しており、また外部空間に連通している貫通穴１２が設置され、前記弧状チャンバ１３の中にはスライドできる円球２６と前記円球２６を復帰させることができる伸縮ばね２８とが設置され、前記弧状溝１１の中にはスライドできるボール２９が設置され、前記ボール２９の一端には一端が前記円球２６を貫通しており、且つ外部空間に位置しているロックロッド１８が設置され、前記ロックロッド１８が前記円球２６とスライドできるように連結され、前記円球２６の前端には前記円球２６を運動させることができるロープ５が設置され、前記ロープ５を引き動かして前記円球２６を運動させ、それによって前記円球２６と前記ボール２９とがそれぞれ前記弧状チャンバ１３と前記弧状溝１１との中で上方へ運動し、二本の前記ロックロッド１８が上方へ運動している過程において、一端が分離した後に再び接触し、それによって自動的に車輪をきつくロックし、前記台座１の中に車輪の自重で生じた動力によって前記ロープ５を引き動かすことができる縄巻き機構５０が設置され、前記縄巻き機構５０は回転チャンバ６と前記回転チャンバ６の左右端壁の中に位置している二つの従動チャンバ２とを含み、前記回転チャンバ６の中には左右両端がそれぞれ左右両側の前記従動チャンバ２の中に位置している回転軸３が設置され、前記回転軸３の左右両端にはいずれも前記ロープ５の下端と固定的に連結され、また前記ロープ５を引き動かすことができる縄巻き輪４が固定され、前記回転チャンバ６の上端壁の中には昇降チャンバ２１と前記回転チャンバ６と前記昇降チャンバ２１とを連通させる貫通チャンバ２６が設置され、前記回転軸３の中間には回転ギヤ２５が固定され、前記昇降チャンバ２１の中には下端が前記回転ギヤ２５と噛み合っており、また前記回転ギヤ２５を回転連動させることができる昇降ロッド２４が設置され、前記昇降チャンバ２１の中には前記昇降ロッド２４を昇降させ、また上端が外部空間の中に位置している台形ロッド１５が設置され、前記昇降チャンバ２１の中にはまた前記台形ロッド１５の復帰を制限できるロック機構５１が設置され、前記ロック機構５１は二つの台形ブロック２２と前記台形ブロック２２を復帰させることができる復帰ばね１９とを含み、前記台形ブロック２２の中には昇降溝３９と前記昇降溝３９に連通している押し出し溝３８とが設置され、前記昇降溝３９の中には前記昇降ロッド１５が下降する時に摩擦力によって連動して一緒に下降することができる位置制限板９が設置され、前記押し出し溝３８の中には押し出した後に前記台形ロッド１５の上昇を制限することができる押し出しロッド８と前記押し出しロッド８を復帰させることができる押し出しばね３７とが設置され、前記台形ロッド１５が下降する時に前記縄巻き機構５０が作動して前記ロープ５を引き動かすと同時に前記ロック機構５１にロックされて上方へ運動して復帰することができなく、それによって速くて自動的に前記ロックロッド１８を通して車輪をロックすることができる。
【００１３】
有益なように、前記縄巻き機構５０はまた前記台形ロッド１５の上端に固定された固定板１６を含み、前記固定板１６の下端には前記固定板１６を復帰させることができる二つの圧縮ばね１４が設置され、前記台形ロッド１５の中には前記押し出しロッド８の一端を入らせて前記台形ロッド１５の上昇を制限することができる二つの収納溝１７が設置され、前記縄巻き機構５０の作用は車輪が前記固定板１６を押し動かすことによって動力を生じて前記縄巻き輪４を回転させて前記ロープ５を引き動かすことである。
【００１４】
有益なように、前記ロック機構５１はまた前記昇降溝３９の下端壁の中の位置制限溝２３を含み、前記位置制限板９の下端には下端が前記位置制限溝２３の中に位置している位置制限ロッド７が設置され、前記昇降溝３９の中には前記位置制限板９を復帰させることができる昇降ばね４０が設置され、前記貫通チャンバ３６の後端壁には電磁石３５が設置され、前記台座１の中には前記電磁石３５の磁性を制御し、また前記電磁石３５に電気エネルギーを提供する制御ブロック４５が設置され、前記昇降ロッド３１の中には後方に開口したＴ型溝３１が設置され、前記Ｔ型溝３１の中には後端が前記貫通チャンバ３６の中に位置しているＴ型ロッド４３と前記Ｔ型ロッド４３と前記昇降ロッド２４とを連結する連結ばね４４とが設置され、前記貫通チャンバ３６の左右端壁にはスライド溝４１が設置され、前記貫通チャンバ３６の中には左右端がそれぞれ前記スライド溝４１の中でスライドでき、また前記Ｔ型ロッド４３の後端と連結されたスライドロッド４２が設置され、前記昇降チャンバ２１の後端壁には前方に開口した押し出しチャンバ３３が設置され、前記押し出しチャンバ３３の中には前端が前記昇降ロッド２４と接触した従動ロッド３４と前記従動ロッド３４を復帰させることができる従動ばね３２とが設置され、前記従動ロッド３４の後端には下端が前記押し出しチャンバ３３の下端壁を貫通しており、また前記押し出しロッド８の一端と連結された二本の鎖２０が固定され、前記台座１の上端面にはＱＲコード（登録商標）３０が設置され、前記ロック機構５１の作用は前記台形ロッド１５をしっかりとロックし、車輪を持ち上げた後に前記固定板１６と前記台形ロッド１５とが復帰することを防止する。
【００１５】
以下、出願人は附図１〜７及び上記本出願の地面に固定される自転車の鍵の具体的な構成を参考して本願の地面に固定される自転車の鍵の使用方法を詳しく紹介する：
【００１６】
自転車の前車輪を固定板１６の上側に置き、車輪の自重によって固定板１６と台形ロッド１５とが下降し、それによって昇降ロッド２４が下降し、それによって回転ギヤ２５と、回転軸３と縄巻き輪４とが回転し、それによってロープ５をきつく巻き、それによって円球２６を上方へ運動連動させ、それによってボール２９とロックロッド１８とが上方へ運動し、弧状溝１１と弧状チャンバ１３とによって二本のロックロッド１８が上方へ運動する過程において、互いに接触した一端が分離してから再び接触し、それによって二本のロックロッド１８が車輪を自動的に貫通してロックする。
【００１７】
台形ロッド１５が下降する時に二つの台形ブロック２２を両側へ運動させ、台形ロッド１５が位置制限板９と接触した後、台形ロッド１５が位置制限板９を下降連動させ、収納溝１７が押し出しロッド８と同じ直線に位置した時、押し出しロッド８が押し出しばね３７の作用の下で収納溝１７の中に入り、台形ロッド１５の復帰を制限し、この時に電磁石３５がスライドロッド４２と互いに反発し、それによって昇降ロッド２４が回転ギヤ２５と噛み合う。
【００１８】
自転車を取り出す時、ＱＲコード（登録商標）３０をスキャンして制御ブロック４５を制御して電磁石３５の磁性を変え、それによって電磁石３５がスライドロッド４２と吸引し合い、昇降ロッド２４が後方へ運動して回転ギヤから分離し、円球２６が伸縮ばね２８の作用の下で復帰し、それによってロックロッド１８が復帰し、それによって車輪のロックが解除され、同時にロープ５と縄巻き輪４とが復帰し、この時に昇降ロッド２４の運動が従動ロッド３４を後方へ運動連動させ、それによって鎖２０を引き動かし、それによって押し出しロッド８が収納溝１７から離れ、それによって台形ロッド１５と固定板１６とが復帰し、昇降ロッド２４が連結ばね４４の作用の下で上方へ運動し、自転車を取り出した後、制御ブロック４５が電磁石３５を制御して復帰させ、それによってロック機構５１がばねの作用の下で復帰し、装置が復帰する。
【００１９】
本発明の有益な効果は：本装置は構成が簡単で、操作が便利であり、装置は駐輪の後に自転車を自動的にロックし、手で鍵をかける必要がなく、人が鍵をかけるステップを省き、時間を節約し、またＱＲコード（登録商標）をスキャンすることによって自動的にロックを解除でき、人々の駐輪のこと又は自転車をロックすることに大きな便利を与える。
【００２０】
上記は、ただ発明の具体的な実施方式であり、発明の保護範囲はこれに限定されたものではなく、創造的な労働を通さなく想到できる全ての変化又は入れ替わりは、本発明の保護範囲の中に含む。したがって、発明の保護範囲は特許請求に限定された保護範囲を基準とするべきである。
【図１】
2020183219.tif 000003
【図２】
2020183219.tif 000004
【図３】
2020183219.tif 000005
【図４】
2020183219.tif 000006
【図５】
2020183219.tif 000007
【図６】
2020183219.tif 000008
【図７】
2020183219.tif 000009
【手続補正書】
【提出日】令和1年7月26日(2019.7.26)
【手続補正１】
【補正対象書類名】特許請求の範囲
【補正対象項目名】全文
【補正方法】変更
【補正の内容】
【特許請求の範囲】
【請求項１】
正面視で、台座と前記台座の上端面に固定された二つの半円ロッドとを含み、前記半円ロッドの中には弧状チャンバが設置され、前記弧状チャンバの片側端壁の中には弧状溝が設置され、前記半円ロッドの中には前記弧状チャンバと前記弧状溝を貫通しており、また外部空間に連通している貫通穴が設置され、前記弧状チャンバの中にはスライドできる円球と前記円球を復帰させることができる伸縮ばねとが設置され、前記弧状溝の中にはスライドできるボールが設置され、前記ボールの一端には一端が前記円球を貫通しており、且つ外部空間に位置しているロックロッドが設置され、前記ロックロッドが前記円球とスライドできるように連結され、前記円球の前端には前記円球を運動させることができるロープが設置され、前記ロープを引き動かして前記円球を運動させ、それによって前記円球と前記ボールとがそれぞれ前記弧状チャンバと前記弧状溝との中で上方へ運動し、二本の前記ロックロッドが上方へ運動している過程において、一端が分離した後に再び接触し、それによって自動的に車輪をロックし、前記台座の中に車輪の自重で生じた動力によって前記ロープを引き動かすことができる縄巻き機構が設置され、前記縄巻き機構は回転チャンバと前記回転チャンバの左右端壁の中に位置している二つの従動チャンバとを含み、前記回転チャンバの中には左右両端がそれぞれ左右両側の前記従動チャンバの中に位置している回転軸が設置され、前記回転軸の左右両端にはいずれも前記ロープの下端と固定的に連結され、また前記ロープを引き動かすことができる縄巻き輪が固定され、前記回転チャンバの上端壁の中には昇降チャンバと前記回転チャンバと前記昇降チャンバとを連通させる貫通チャンバが設置され、前記回転軸の中間には回転ギヤが固定され、前記昇降チャンバの中には下端が前記回転ギヤと噛み合っており、また前記回転ギヤを回転連動させることができる昇降ロッドが設置され、前記昇降チャンバの中には前記昇降ロッドを昇降させ、また上端が外部空間の中に位置している下押しロッドが設置され、前記昇降チャンバの中にはまた前記下押しロッドの復帰を制限できるロック機構が設置され、前記ロック機構は二つの台形ブロックと前記台形ブロックを復帰させることができる復帰ばねとを含み、前記台形ブロックの中には昇降溝と前記昇降溝に連通している押し出し溝とが設置され、前記昇降溝の中には前記下押しロッドが下降する時に下押しロッドとの摩擦力によって連動して一緒に下降することができる位置制限板が設置され、前記押し出し溝の中には押し出した後に前記下押しロッドの上昇を制限することができる押し出しロッドと前記押し出しロッドを復帰させることができる押し出しばねとが設置されたことを特徴とする地面に固定される自転車の鍵。
【請求項２】
前記縄巻き機構はまた前記下押しロッドの上端に固定された固定板を含み、前記固定板の下端には前記固定板を復帰させることができる二つの圧縮ばねが設置され、前記下押しロッドの中には前記押し出しロッドの一端を入らせて前記下押しロッドの上昇を制限することができる二つの収納溝が設置されたことを特徴とする請求項１に記載の地面に固定される自転車の鍵。
【請求項３】
前記ロック機構はまた前記昇降溝の下端壁の中の位置制限溝を含み、前記位置制限板の下端には下端が前記位置制限溝の中に位置している位置制限ロッドが設置され、前記昇降溝の中には前記位置制限板を復帰させることができる昇降ばねが設置され、前記貫通チャンバの後端壁には電磁石が設置され、前記台座の中には前記電磁石の磁性を制御し、また前記電磁石に電気エネルギーを提供する制御ブロックが設置され、前記昇降ロッドの中には後方に開口したＴ型溝が設置され、前記Ｔ型溝の中には後端が前記貫通チャンバの中に位置しているＴ型ロッドと前記Ｔ型ロッドと前記昇降ロッドとを連結する連結ばねとが設置され、前記貫通チャンバの左右端壁にはスライド溝が設置され、前記貫通チャンバの中には左右端がそれぞれ前記スライド溝の中でスライドでき、また前記Ｔ型ロッドの後端と連結されたスライドロッドが設置され、前記昇降チャンバの後端壁には前方に開口した押し出しチャンバが設置され、前記押し出しチャンバの中には前端が前記昇降ロッドと接触した従動ロッドと前記従動ロッドを復帰させることができる従動ばねとが設置され、前記従動ロッドの後端には下端が前記押し出しチャンバの下端壁を貫通しており、また前記押し出しロッドの一端と連結された二本の鎖が固定され、前記台座の上端面にはＱＲコード（登録商標）が設置されたことを特徴とする請求項１に記載の地面に固定される自転車の鍵。
【手続補正２】
【補正対象書類名】明細書
【補正対象項目名】全文
【補正方法】変更
【補正の内容】
【発明の詳細な説明】
【技術分野】
【０００１】
本発明はロック分野に関わり、具体的には地面に固定される自転車の鍵である。
【背景技術】
【０００２】
現段階には、人々は駐輪の後、時間をかけて手で自転車に鍵をかける必要があり、自転車に鍵をかけない時があり、自転車が盗まれやすく、それによって自転車の所有者が損失を受ける。
【先行技術文献】
【特許文献】
【０００３】
【特許文献１】中国特許出願公開第１０５６４８９４１号明細書
【発明の概要】
【発明が解決しようとする課題】
【０００４】
本発明は地面に固定される自転車の鍵を提供し、上記背景技術に提出された問題を解決することを目的とする。
【課題を解決するための手段】
【０００５】
上記の目的を実現するため、本発明は以下の技術プランを提供する：地面に固定される自転車の鍵であり、台座と前記台座の上端面に固定された二つの半円ロッドとを含み、前記半円ロッドの中には弧状チャンバが設置され、前記弧状チャンバの片側端壁の中には弧状溝が設置され、前記半円ロッドの中には前記弧状チャンバと前記弧状溝を貫通しており、また外部空間に連通している貫通穴が設置され、前記弧状チャンバの中にはスライドできる円球と前記円球を復帰させることができる伸縮ばねとが設置され、前記弧状溝の中にはスライドできるボールが設置され、前記ボールの一端には一端が前記円球を貫通しており、且つ外部空間に位置しているロックロッドが設置され、前記ロックロッドが前記円球とスライドできるように連結され、前記円球の前端には前記円球を運動させることができるロープが設置され、前記ロープを引き動かして前記円球を運動させ、それによって前記円球と前記ボールとがそれぞれ前記弧状チャンバと前記弧状溝との中で上方へ運動し、二本の前記ロックロッドが上方へ運動している過程において、一端が分離した後に再び接触し、それによって自動的に車輪をロックし、前記台座の中に車輪の自重で生じた動力によって前記ロープを引き動かすことができる縄巻き機構が設置され、前記縄巻き機構は回転チャンバと前記回転チャンバの左右端壁の中に位置している二つの従動チャンバとを含み、前記回転チャンバの中には左右両端がそれぞれ左右両側の前記従動チャンバの中に位置している回転軸が設置され、前記回転軸の左右両端にはいずれも前記ロープの下端と固定的に連結され、また前記ロープを引き動かすことができる縄巻き輪が固定され、前記回転チャンバの上端壁の中には昇降チャンバと前記回転チャンバと前記昇降チャンバとを連通させる貫通チャンバが設置され、前記回転軸の中間には回転ギヤが固定され、前記昇降チャンバの中には下端が前記回転ギヤと噛み合っており、また前記回転ギヤを回転連動させることができる昇降ロッドが設置され、前記昇降チャンバの中には前記昇降ロッドを昇降させ、また上端が外部空間の中に位置している下押しロッドが設置され、前記昇降チャンバの中にはまた前記下押しロッドの復帰を制限できるロック機構が設置され、前記ロック機構は二つの台形ブロックと前記台形ブロックを復帰させることができる復帰ばねとを含み、前記台形ブロックの中には昇降溝と前記昇降溝に連通している押し出し溝とが設置され、前記昇降溝の中には前記下押しロッドが下降する時に下押しロッドとの摩擦力によって連動して一緒に下降することができる位置制限板が設置され、前記押し出し溝の中には押し出した後に前記下押しロッドの上昇を制限することができる押し出しロッドと前記押し出しロッドを復帰させることができる押し出しばねとが設置され、前記下押しロッドが下降する時に前記縄巻き機構が作動して前記ロープを引き動かすと同時に前記ロック機構にロックされて上方へ運動して復帰することができなく、それによって速くて自動的に前記ロックロッドを通して車輪をロックすることができる。
【０００６】
好ましくは、前記縄巻き機構はまた前記下押しロッドの上端に固定された固定板を含み、前記固定板の下端には前記固定板を復帰させることができる二つの圧縮ばねが設置され、前記下押しロッドの中には前記押し出しロッドの一端を入らせて前記下押しロッドの上昇を制限することができる二つの収納溝が設置され、前記縄巻き機構の作用は車輪が前記固定板を押し動かすことによって動力を生じて前記縄巻き輪を回転させて前記ロープを引き動かすことである。
【０００７】
好ましくは、前記ロック機構はまた前記昇降溝の下端壁の中の位置制限溝を含み、前記位置制限板の下端には下端が前記位置制限溝の中に位置している位置制限ロッドが設置され、前記昇降溝の中には前記位置制限板を復帰させることができる昇降ばねが設置され、前記貫通チャンバの後端壁には電磁石が設置され、前記台座の中には前記電磁石の磁性を制御し、また前記電磁石に電気エネルギーを提供する制御ブロックが設置され、前記昇降ロッドの中には後方に開口したＴ型溝が設置され、前記Ｔ型溝の中には後端が前記貫通チャンバの中に位置しているＴ型ロッドと前記Ｔ型ロッドと前記昇降ロッドとを連結する連結ばねとが設置され、前記貫通チャンバの左右端壁にはスライド溝が設置され、前記貫通チャンバの中には左右端がそれぞれ前記スライド溝の中でスライドでき、また前記Ｔ型ロッドの後端と連結されたスライドロッドが設置され、前記昇降チャンバの後端壁には前方に開口した押し出しチャンバが設置され、前記押し出しチャンバの中には前端が前記昇降ロッドと接触した従動ロッドと前記従動ロッドを復帰させることができる従動ばねとが設置され、前記従動ロッドの後端には下端が前記押し出しチャンバの下端壁を貫通しており、また前記押し出しロッドの一端と連結された二本の鎖が固定され、前記台座の上端面にはＱＲコード（登録商標）が設置され、前記ロック機構の作用は前記下押しロッドをしっかりとロックし、車輪を持ち上げた後に前記固定板と前記下押しロッドとが復帰することを防止する。
【発明の効果】
【０００８】
以上により、本発明の有益な効果は：本装置は構成が簡単で、操作が便利であり、装置は駐輪の後に自転車を自動的にロックし、手で鍵をかける必要がなく、人が鍵をかけるステップを省き、時間を節約し、またＱＲコード（登録商標）をスキャンすることによって自動的にロックを解除でき、人々の駐輪のこと又は自転車をロックすることに大きな便利を与える。
【図面の簡単な説明】
【０００９】
本発明の実施例又は既存技術の技術プランを詳しく説明するため、下記には実施例又は既存技術の説明に所要の付図を簡単に紹介し、明らかに下記の説明の付図はただ本発明の実施例であり、本分野の普通の技術員にとって、創造的な労働をしない場合、下記の付図から他の付図をもらえることができ、下記に図１〜７をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１０】
【図１】図１は本発明の地面に固定される自転車の鍵の全体全断面の正面構造略図
【図２】図２は本発明の地面に固定される自転車の鍵の左側弧状チャンバの全断面の    左側面拡大構造略図
【図３】図３は本発明の地面に固定される自転車の鍵の左側弧状溝の全断面の左側面    拡大構造略図
【図４】図４は本発明の地面に固定される自転車の鍵の半円ロッドの全断面の正面拡    大構造略図
【図５】図５は本発明の地面に固定される自転車の鍵装置の全断面の左側面拡大構造    略図
【図６】図６は本発明の地面に固定される自転車の鍵の台形ブロックのところの構造    の部分断面の正面拡大構造略図
【図７】図７は本発明の地面に固定される自転車の鍵の貫通チャンバのところの構造    の部分断面の正面拡大構造略図
【発明を実施するための形態】
【００１１】
本説明書における公開したあらゆる特徴あるいは公開したあらゆる方法と過程でのステップは、お互いに反発する特徴とステープを除き、どの方式でも組み合わせる。
【００１２】
図１〜７を参考し、本発明の実施例は：地面に固定される自転車の鍵であり、地面に固定される自転車の鍵は台座１と前記台座１の上端面に固定された二つの半円ロッド１０とを含み、前記半円ロッド１０の中には弧状チャンバ１３が設置され、前記弧状チャンバ１３の片側端壁の中には弧状溝１１が設置され、前記半円ロッド１０の中には前記弧状チャンバ１３と前記弧状溝１１を貫通しており、また外部空間に連通している貫通穴１２が設置され、前記弧状チャンバ１３の中にはスライドできる円球２６と前記円球２６を復帰させることができる伸縮ばね２８とが設置され、前記弧状溝１１の中にはスライドできるボール２９が設置され、前記ボール２９の一端には一端が前記円球２６を貫通しており、且つ外部空間に位置しているロックロッド１８が設置され、前記ロックロッド１８が前記円球２６とスライドできるように連結され、前記円球２６の前端には前記円球２６を運動させることができるロープ５が設置され、前記ロープ５を引き動かして前記円球２６を運動させ、それによって前記円球２６と前記ボール２９とがそれぞれ前記弧状チャンバ１３と前記弧状溝１１との中で上方へ運動し、二本の前記ロックロッド１８が上方へ運動している過程において、一端が分離した後に再び接触し、それによって自動的に車輪をロックし、前記台座１の中に車輪の自重で生じた動力によって前記ロープ５を引き動かすことができる縄巻き機構５０が設置され、前記縄巻き機構５０は回転チャンバ６と前記回転チャンバ６の左右端壁の中に位置している二つの従動チャンバ２とを含み、前記回転チャンバ６の中には左右両端がそれぞれ左右両側の前記従動チャンバ２の中に位置している回転軸３が設置され、前記回転軸３の左右両端にはいずれも前記ロープ５の下端と固定的に連結され、また前記ロープ５を引き動かすことができる縄巻き輪４が固定され、前記回転チャンバ６の上端壁の中には昇降チャンバ２１と前記回転チャンバ６と前記昇降チャンバ２１とを連通させる貫通チャンバ２６が設置され、前記回転軸３の中間には回転ギヤ２５が固定され、前記昇降チャンバ２１の中には下端が前記回転ギヤ２５と噛み合っており、また前記回転ギヤ２５を回転連動させることができる昇降ロッド２４が設置され、前記昇降チャンバ２１の中には前記昇降ロッド２４を昇降させ、また上端が外部空間の中に位置している下押しロッド１５が設置され、前記昇降チャンバ２１の中にはまた前記下押しロッド１５の復帰を制限できるロック機構５１が設置され、前記ロック機構５１は二つの台形ブロック２２と前記台形ブロック２２を復帰させることができる復帰ばね１９とを含み、前記台形ブロック２２の中には昇降溝３９と前記昇降溝３９に連通している押し出し溝３８とが設置され、前記昇降溝３９の中には前記下押しロッド１５が下降する時に前記下押しロッド１５との摩擦力によって連動して一緒に下降することができる位置制限板９が設置され、前記押し出し溝３８の中には押し出した後に前記下押しロッド１５の上昇を制限することができる押し出しロッド８と前記押し出しロッド８を復帰させることができる押し出しばね３７とが設置され、前記下押しロッド１５が下降する時に前記縄巻き機構５０が作動して前記ロープ５を引き動かすと同時に前記ロック機構５１にロックされて上方へ運動して復帰することができなく、それによって速くて自動的に前記ロックロッド１８を通して車輪をロックすることができる。
【００１３】
有益なように、前記縄巻き機構５０はまた前記下押しロッド１５の上端に固定された固定板１６を含み、前記固定板１６の下端には前記固定板１６を復帰させることができる二つの圧縮ばね１４が設置され、前記下押しロッド１５の中には前記押し出しロッド８の一端を入らせて前記下押しロッド１５の上昇を制限することができる二つの収納溝１７が設置され、前記縄巻き機構５０の作用は車輪が前記固定板１６を押し動かすことによって動力を生じて前記縄巻き輪４を回転させて前記ロープ５を引き動かすことである。
【００１４】
有益なように、前記ロック機構５１はまた前記昇降溝３９の下端壁の中の位置制限溝２３を含み、前記位置制限板９の下端には下端が前記位置制限溝２３の中に位置している位置制限ロッド７が設置され、前記昇降溝３９の中には前記位置制限板９を復帰させることができる昇降ばね４０が設置され、前記貫通チャンバ３６の後端壁には電磁石３５が設置され、前記台座１の中には前記電磁石３５の磁性を制御し、また前記電磁石３５に電気エネルギーを提供する制御ブロック４５が設置され、前記昇降ロッド３１の中には後方に開口したＴ型溝３１が設置され、前記Ｔ型溝３１の中には後端が前記貫通チャンバ３６の中に位置しているＴ型ロッド４３と前記Ｔ型ロッド４３と前記昇降ロッド２４とを連結する連結ばね４４とが設置され、前記貫通チャンバ３６の左右端壁にはスライド溝４１が設置され、前記貫通チャンバ３６の中には左右端がそれぞれ前記スライド溝４１の中でスライドでき、また前記Ｔ型ロッド４３の後端と連結されたスライドロッド４２が設置され、前記昇降チャンバ２１の後端壁には前方に開口した押し出しチャンバ３３が設置され、前記押し出しチャンバ３３の中には前端が前記昇降ロッド２４と接触した従動ロッド３４と前記従動ロッド３４を復帰させることができる従動ばね３２とが設置され、前記従動ロッド３４の後端には下端が前記押し出しチャンバ３３の下端壁を貫通しており、また前記押し出しロッド８の一端と連結された二本の鎖２０が固定され、前記台座１の上端面にはＱＲコード（登録商標）３０が設置され、前記ロック機構５１の作用は前記下押しロッド１５をしっかりとロックし、車輪を持ち上げた後に前記固定板１６と前記下押しロッド１５とが復帰することを防止する。
【００１５】
以下、出願人は附図１〜７及び上記本出願の地面に固定される自転車の鍵の具体的な構成を参考して本願の地面に固定される自転車の鍵の使用方法を詳しく紹介する：
【００１６】
自転車の前車輪を固定板１６の上側に置き、車輪の自重によって固定板１６と下押しロッド１５とが下降し、それによって昇降ロッド２４が下降し、それによって回転ギヤ２５と、回転軸３と縄巻き輪４とが回転し、それによってロープ５をきつく巻き、それによって円球２６を上方へ運動連動させ、それによってボール２９とロックロッド１８とが上方へ運動し、弧状溝１１と弧状チャンバ１３とによって二本のロックロッド１８が上方へ運動する過程において、互いに接触した一端が分離してから再び接触し、それによって二本のロックロッド１８が車輪を自動的に貫通してロックする。
【００１７】
下押しロッド１５が下降する時に二つの台形ブロック２２を両側へ運動させ、下押しロッド１５が位置制限板９と接触した後、下押しロッド１５が位置制限板９を下降連動させ、収納溝１７が押し出しロッド８と同じ直線に位置した時、押し出しロッド８が押し出しばね３７の作用の下で収納溝１７の中に入り、下押しロッド１５の復帰を制限し、この時に電磁石３５がスライドロッド４２と互いに反発し、それによって昇降ロッド２４が回転ギヤ２５と噛み合う。
【００１８】
自転車を取り出す時、ＱＲコード（登録商標）３０をスキャンして制御ブロック４５を制御して電磁石３５の磁性を変え、それによって電磁石３５がスライドロッド４２と吸引し合い、昇降ロッド２４が後方へ運動して回転ギヤから分離し、円球２６が伸縮ばね２８の作用の下で復帰し、それによってロックロッド１８が復帰し、それによって車輪のロックが解除され、同時にロープ５と縄巻き輪４とが復帰し、この時に昇降ロッド２４の運動が従動ロッド３４を後方へ運動連動させ、それによって鎖２０を引き動かし、それによって押し出しロッド８が収納溝１７から離れ、それによって下押しロッド１５と固定板１６とが復帰し、昇降ロッド２４が連結ばね４４の作用の下で上方へ運動し、自転車を取り出した後、制御ブロック４５が電磁石３５を制御して復帰させ、それによってロック機構５１がばねの作用の下で復帰し、装置が復帰する。
【００１９】
本発明の有益な効果は：本装置は構成が簡単で、操作が便利であり、装置は駐輪の後に自転車を自動的にロックし、手で鍵をかける必要がなく、人が鍵をかけるステップを省き、時間を節約し、またＱＲコード（登録商標）をスキャンすることによって自動的にロックを解除でき、人々の駐輪のこと又は自転車をロックすることに大きな便利を与える。
【００２０】
上記は、ただ発明の具体的な実施方式であり、発明の保護範囲はこれに限定されたものではなく、創造的な労働を通さなく想到できる全ての変化又は入れ替わりは、本発明の保護範囲の中に含む。したがって、発明の保護範囲は特許請求に限定された保護範囲を基準とするべきである。